(57)【要約】【課題】軸筒とは別体の単品状態で作動確認検査を行うことができる上、出没式筆記具の生産性を大幅に向上することができるリフィール進退ユニットを提供する。【解決手段】操作部２０の操作によってリフィール装着部３３を軸方向へ進退させる進退機構が備えられたリフィール進退ユニットであって、該進退機構を、単独で作動可能な一体構造に構成するとともに、出没式筆記具Ａの軸筒６０に対して装着可能に形成した。【選択図】          図１
2004209881.tif 000002
【特許請求の範囲】
【請求項１】
操作部の操作によってリフィール装着部を軸方向へ進退させる進退機構が備えられたリフィール進退ユニットであって、
該進退機構を、単独で作動可能な一体構造に構成するとともに、出没式筆記具の軸筒に対して装着可能に形成したことを特徴とするリフィール進退ユニット。
【請求項２】
上記進退機構は、出没式筆記具における軸筒の後端部に対して装着可能に形成されていることを特徴とする請求項１記載のリフィール進退ユニット。
【請求項３】
上記進退機構は、上記リフィール装着部を付勢する付勢部材を一体的に具備してなり、
この進退機構は、上記操作部がノック操作されることにより前記付勢部材による付勢に抗して上記リフィール装着部を前進させて係止状態にし、上記操作部が再度ノック操作されることにより前記係止状態を解除して上記リフィール装着部を後退させるように構成されていることを特徴とする請求項１又は２記載のリフィール進退ユニット。
【請求項４】
上記リフィール装着部を軸方向へスライド可能に内在するとともに出没式筆記具の軸筒の後端部に装着可能な中駒と、上記付勢部材を受ける受け部材とを一体的に備え、
該受け部材は、前記中駒に対して軸方向へスライド可能に係合されていることを特徴とする請求項３記戴のリフィール進退ユニット。
【請求項５】
上記進退機構は、上記中駒内に、該中駒の前方側から、上記操作部と、上記リフィール装着部を有する回転子と、該回転子を後方へ付勢すべく上記付勢部材を内在した上記受け部材とが、順番に挿入されるように構成されるとともに、上記操作部がノック操作されることで、前記回転子を軸方向へ前進させた後に回転させて係止状態にし、上記操作部が再度ノック操作されることにより、前記係止状態を解除して前記回転子を後退させる機構であり、
上記操作部は、後方からノック操作されるノック体であるとともに、該ノック体の略全長にわたってリフィールの後端側を内在するように構成されていることを特徴とする請求項４記載のリフィール進退ユニット。
【発明の詳細な説明】
【０００１】
【発明の属する技術分野】
本発明は、リフィールの筆記先端部を出没させる出没式筆記具に装着可能なリフィール進退ユニットに関するものである。
【０００２】
【従来の技術】
従来、この種の発明には、軸筒内に、ノック操作可能なノック体と、該ノック体の前端カム斜面や軸筒内面のカム斜面等に係合することで回転する回転子と、該回転子を後方へ付勢するリターンスプリングと、該回転子内に後端部を嵌合させたリフィールとを備え、前記ノック体がノック操作されることにより、前記回転子を、軸方向へ前進させた後、回転させて係止状態にし、前記ノック体が再度ノック操作されることにより、前記係止状態を解除して前記回転子を軸方向へ後退させるようにした機構が多々ある。
【０００３】
ところで、前記従来技術によれば、前記した構成の複雑な回転機構を組立てるのに時間がかかる上、リターンスプリングが組立て作業中に外れたり変形したりするという問題があった。そこで、この問題を解消するために、予めリターンスプリングを回転子に組み込んでノック体と共にカム筒に嵌挿して軸筒に装着することで、組立て作業中にリターンスプリングが外れたり変形したりしないようにしたノック式筆記具がある（特許文献１参照）。
【０００４】
しかしながら、上記後者のノック式筆記具によれば、リターンスプリング、回転子、ノック体、ノックカバー、カム筒、受け座等を軸筒内に構成した状態でなければ、ノック操作が出来ない構造であった。その為、例えば、このノック式筆記具の組立て完成後に、作動確認検査により作動不良が発見された場合には、完成された該ノック式筆記具を全て廃棄処分、あるいは分解して不良部品を廃棄処分にする必要が生じ、その不良品処分のための手間及び損失額が大きいという問題を有していた。
更に、同ノック式筆記具は、組立て作業性についての改良が施されているものの、リターンスプリング、回転子、ノック体、ノックカバー、カム筒、受け座等、多々ある部品の管理が困難な上、組立て作業性についても更なる改良が求められていた。
【０００５】
【特許文献１】
特開２００２−２４０４８５号公報
【０００６】
【発明が解決しようとする課題】
本発明は上記従来事情に鑑みてなされたものであり、その課題とする処は、軸筒とは別体の単品状態で作動確認検査を行うことができる上、出没式筆記具の生産性を大幅に向上することができるリフィール進退ユニットを提供することにある。
【０００７】
【課題を解決するための手段】
上記課題を解決するために第一の発明は、操作部の操作によってリフィール装着部を軸方向へ進退させる進退機構が備えられたリフィール進退ユニットであって、該進退機構を、単独で作動可能な一体構造に構成するとともに、出没式筆記具の軸筒に対して装着可能に形成したことを特徴とする。
【０００８】
ここで、上記進退機構とは、上記操作部が操作されることによって、上記リフィール装着部を軸方向へ前進させたり後退させたりする機構であればよく、具体例としては、上記操作部がノック操作されることにより上記リフィール装着部を軸方向へ前進させて係止状態にし、上記操作部が再度ノック操作されることにより前記係止状態を解除して上記リフィール装着部を軸方向へ後退させる機構や、上記操作部が所定の回転方向へ回動されることにより上記リフィール装着部を軸方向へ前進させ、上記操作部が逆方向へ回動されることにより上記リフィール装着部を軸方向へ後退させる機構、その他の周知の進退機構等が挙げられる。
そして、当該リフィール進退ユニットは、上記進退機構のみによる構成、及び上記進退機構に他の部材（例えばクリップ等）を備えた構成を含むものとする。
また、上記リフィール装着部とは、ボールペン用リフィールやシャープペンシル用リフィール等の筆記具用リフィールを装着可能にした部位を意味する。
また、上記出没式筆記具とは、当該リフィール進退ユニットが組み付けられることによって構成される筆記具であって、前記筆記具用リフィールの筆記先端部を当該リフィール進退ユニットの作動により出没させるようにした筆記具を意味する。
また、上記軸筒とは、前記リフィールを軸方向へ出没可能に内在するものであればよく、一体に構成されたものや、前軸と後軸等の複数の部材から構成されたもの等を含む。
【０００９】
更に、第二の発明では、上記進退機構が、出没式筆記具における軸筒の後端部に対して装着可能に形成されていることを特徴とする。
【００１０】
更に、第三の発明では、上記進退機構は、上記リフィール装着部を付勢する付勢部材を一体的に具備してなり、この進退機構は、上記操作部がノック操作されることにより前記付勢部材による付勢に抗して上記リフィール装着部を前進させて係止状態にし、上記操作部が再度ノック操作されることにより前記係止状態を解除して上記リフィール装着部を後退させるように構成されていることを特徴とする。
【００１１】
更に、第四の発明は、上記リフィール装着部を軸方向へスライド可能に内在するとともに出没式筆記具の軸筒の後端部に装着可能な中駒と、上記付勢部材を受ける受け部材とを一体的に備え、該受け部材は、前記中駒に対して軸方向へスライド可能に係合されていることを特徴とする。
【００１２】
更に、第五の発明では、上記進退機構は、上記中駒内に、該中駒の前方側から、上記操作部と、上記リフィール装着部を有する回転子と、該回転子を後方へ付勢すべく上記付勢部材を内在した上記受け部材とが、順番に挿入されるように構成されるとともに、上記操作部がノック操作されることで、前記回転子を軸方向へ前進させた後に回転させて係止状態にし、上記操作部が再度ノック操作されることにより、前記係止状態を解除して前記回転子を後退させる機構であり、上記操作部は、後方からノック操作されるノック体であるとともに、該ノック体の略全長にわたってリフィールの後端側を内在するように構成されていることを特徴とする。
【００１３】
【発明の実施の形態】
以下、本発明の実施の形態を図面に基づいて説明する。
このリフィール進退ユニット１は、中駒１０内に、該中駒１０の前方側（図１における下方側）から、操作部２０と、リフィール装着部３３を有する回転子３０と、該回転子３０を後方へ付勢すべく付勢部材４０を内在した受け部材５０とを、順番に挿入してなる。
【００１４】
そして、このリフィール進退ユニット１は、操作部２０がノック操作されることで、回転子３０を軸方向へ前進させた後に回転させて係止状態にし、同操作部２０が再度ノック操作されることにより、前記係止状態を解除して前記回転子３０を後退させる進退機構を、単独で作動可能な一体構造に構成している（図１参照）。
【００１５】
更に、同リフィール進退ユニット１は、出没式筆記具Ａ（図３及び４参照）の軸筒６０の後端部に装着可能な形状に形成されている。
【００１６】
前記中駒１０は、前記軸筒６０に内在される前側部位１１と同軸筒６０の後方へ突出される後側部位１２とからなる略段付筒状を呈する。
【００１７】
前記前側部位１１は、その外周面に、前記軸筒６０内周面の環状突部６１に乗り越え嵌合させるための環状突部１１ａと、軸筒６０後端の切欠部６２（図３参照）に係合させるための回り止め突部１１ｃを形成し、内周面には、後述する受け部材５０を係合させるための突部１１ｂを、周方向に複数形成している。
【００１８】
また、前記後側部位１２は、前記前側部位１１よりも一回り程大きい外径に形成される。そして、この後側部位１２から前記前側部位１１にわたる範囲の外周面には、出没式筆記具Ａのクリップ７０を支持するための支持部１２ａを突設している。
前記クリップ７０は、側面視略Ｕ字状の板バネ７１によって前記支持部１２ａに取り付けられる。尚、このクリップ７０を前記支持部１２ａに取り付ける作業は、当該リフィール進退ユニット１が軸筒６０に装着される前と後との何れであっても構わない。
【００１９】
また、前記中駒１０は、その内周面に、後述する回転子３０の回転子カム斜面３１ａ１に摺接させるための中駒カム斜面１２ｃを複数突設し、更に、回転子３０の突条３１ａ及び中駒１０の突条２２を軸方向へ案内するためのスライド溝１２ｂ，１２ｂ’を複数凹設している。
【００２０】
操作部２０は、後方からノック操作されるノック体であり、前端面を開口し且つ後端面を閉鎖した略有底筒状に形成され、その前端面に、回転子３０の回転子カム斜面３１ａ１に摺接させるための操作部カム斜面２１を形成している。更に、同操作部２０の外周面には、上記中駒１０の上記スライド溝１２ｂ，１２ｂ’に係合させるための突条２２を形成している。
そして、この操作部２０は、後端部を後方へ突出させた状態で中駒１０に内在され、外部からノック操作される。
また、同操作部２０の内部には、その略全長にわたって、後述する回転子３０の筒部３２が内在される。更に、前記筒部３２の内部には、その略全長にわたって、リフィール８０の後端側が内在されることになる。
【００２１】
中駒１０における前記スライド溝１２ｂ，１２ｂ’は、詳細には、回転子３０の突条３１ａと操作部２０の突条２２との双方を軸方向へ導くべく比較的深く形成された溝１２ｂと、操作部２０の突条２２のみを軸方向へ導くべく比較的浅く形成された溝１２ｂ’とからなり、これら二種類の溝１２ｂ，１２ｂ’を、周方向へ交互に配置している。
そして、前記二種類の溝１２ｂ，１２ｂ’は、何れも、中駒１０の前端開口部から挿入される操作部２０を、同中駒１０の後方へ貫通させないように、該溝内の前端側を開放するとともに、該溝内の後端側を閉鎖している。
尚、前記二種類の溝１２ｂ，１２ｂ’の内、浅く形成された方のスライド溝１２ｂ’は省くことも可能であるが、本実施の形態の好ましい一例では、前記二種類の溝１２ｂ，１２ｂ’を形成することにより、操作部２０を中駒１０内に組み付ける際の組立性を良好にしている。すなわち、浅く形成された方のスライド溝１２ｂ’が省かれた場合には、操作部２０の突条２２を、深く形成された方のスライド溝１２ｂに位置合わせする必要が生じることになるが、本実施の形態では、前記突条２２を、双方の溝１２ｂ，１２ｂ’の内の何れにでも係合できるようにすることで、前記位置合わせによる組み付け上の煩わしさを解消している。
【００２２】
回転子３０は、筒部３２と、該筒部３２の外周に一体に形成された係合部３１とからなり、該筒部３２の後端側を操作部２０内にスライド自在に挿入させるとともに、該筒部３２の前端側を受け部材５０内にスライド自在に挿入させる。
尚、筒部３２と係合部３１とは別体に構成されてもよく、この場合、係合部３１は、筒部３２の外周面に、少なくとも前方へ移動しないように係合されていればよい。
【００２３】
筒部３２は、その内周面に、出没式筆記具Ａのリフィール８０の後端側を嵌脱可能に保持するリフィール装着部３３を形成しており、該筒部３２の略全長にわたってリフィール８０の後端側が挿入される。
尚、図中符号３２ａは、筒部３２の後端面に形成された通気孔であり、この通気孔３２ａは、筒部３２内に装着されるリフィール８０の内部と外部との通気を確保する孔であり、リフィール８０を貫通してしまうことがないように、リフィール８０の外径よりも小さい内径に形成される。
【００２４】
前記リフィール装着部３３は、筒部３２の内周面に複数の縦リブを形成し、該縦リブの突端面をリフィール８０の外周面に当接させることで、リフィール８０を嵌脱可能に保持する周知の技術的手段であり、リフィール８０を装着可能にするものであれば、他の技術的手段であっても構わない。
【００２５】
また、回転子３０の係合部３１は、後述する受け部材５０の後端面（図１における上端面）に当接可能なリング部３１ｂと、該リング部３１ｂの後方側に配置されるとともに上記中駒１０の複数のスライド溝１２ｂにそれぞれ係合される複数の突条３１ａとを形成し、更に、各突条３１ａの後端面には、回転子カム斜面３１ａ１を形成している。
【００２６】
また、付勢部材４０は、本実施の形態の好ましい一例によれば圧縮バネであり、その一端側の座面を後述する受け部材５０に係合させて受けられるとともに、他端側の座面を受け部材５０の後端面よりも内方（図１における下方）へ位置した状態で、受け部材５０内に装着される。
そして、この付勢部材４０は、受け部材５０に装着された状態で上記中駒１０に係合された際に、前記他端側の座面を上記回転子３０における筒部３２の前端面に当接させて、上記回転子３０を後方へ付勢する。
【００２７】
また、受け部材５０は、後端開口部５３から付勢部材４０が挿入されるようにした略筒状を呈し、その外周面の後端側に上記中駒１０の複数の突部１１ｂに乗り越え嵌合させるための環状突部５１を形成し、更に、同外周面における環状突部５１よりも寸法Ｗ２前端側に離れた部位には、中駒１０の前端面に当接させるための環状突部５２を形成している。
また、この受け部材５０の前端開口部５４は、受け部材５０を挿通させ、且つ後端開口部５３から挿入される付勢部材４０を貫通させない内径に形成される。
そして、この前端開口部５４により形成される段部５４ａの内方側には、付勢部材４０の座面をその周囲から嵌合する突部５５が、周方向に複数形成されている。
【００２８】
したがって、受け部材５０内に挿入される付勢部材４０は、その前端の座面を、段部５４ａに受けられるとともに、周囲から突部５５により嵌合されることで固定される。
よって、受け部材５０から付勢部材４０が容易に外れてしまうようなことがないため、受け部材５０内に付勢部材４０を装着してなる部品は、同一のパーツケース内に多数収められたとしても付勢部材４０同士の絡み合いを生じることがなく、部品管理が容易である。
【００２９】
また、上記受け部材５０は、上記二つの環状突部５１，５２間の寸法Ｗ２を、中駒１０における前端面と突部１１ｂとの間の寸法Ｗ１よりも広く設定している。
このため、受け部材５０は、環状突部５１を中駒１０の突部１１ｂに乗り越え嵌合させた状態においては、中駒１０に対して寸法Ｗ２と寸法Ｗ１との差分だけ軸方向へスライド可能となる。
よって、受け部材５０及び中駒１０を多数生産した際、前記寸法Ｗ１と寸法Ｗ２との内の一方又は双方に、寸法バラツキを生じたとしても、その寸法バラツキが受け部材５０のスライドにより吸収されるため、これら受け部材５０と中駒１０との組み付けを確実にすることができる。
【００３０】
更に、当該リフィール進退ユニット１が出没式筆記具Ａにおける環状突部６１に装着される際には、出没式筆記具Ａにおける軸筒６０の軸方向の寸法バラツキ、例えば、環状突部６１の軸方向位置のバラツキや、受け部材５０の環状突部５２を当接させる段部６３の軸方向位置のバラツキが、受け部材５０のスライド（寸法Ｗ２と寸法Ｗ１との差分のスライド）により吸収されるため、当該リフィール進退ユニット１と軸筒６０との組み付けを確実にすることができる。
【００３１】
そして、上記構成の各部材は、中駒１０内に、該中駒１０の前方側から、操作部２０と、回転子３０と、予め付勢部材４０を内在した受け部材５０とが、効率よく順番に挿入されることで、単独で作動可能な一体構造の進退機構を構成する。
次に、このリフィール進退ユニット１における回転子３０が、後退位置と前進位置との間で、進退運動をするメカニズム（仕組）について詳細に説明する。
【００３２】
前記後退位置においては、付勢部材４０により後方へ付勢された回転子３０が、その突条３１ａを操作部２０の操作部カム斜面２１に当接させ、操作部２０が、その突条２２をスライド溝１２ｂ（又は１２ｂ’）内の後端面に当接させることで、回転子３０及び操作部２０の後方への移動が規制されている。
そして、回転子３０が前記後退位置（図２（ａ）参照）にある状態で、操作部２０がノック操作により前進すると、その前進に伴って回転子３０が付勢部材４０による付勢に抗して前進する。
前進する回転子３０及び操作部２０は、該回転子３０のリング部３１ｂを受け部材５０の後端面に当接させることで、前方への移動が規制される。
尚、図２中において二点鎖線で示す矢印は、回転子３０が次に移動する方向を示している。
【００３３】
前進した回転子３０は、スライド溝１２ｂから外れた後、付勢部材４０による後方（図２における上方）への付勢を受けながら回転子カム斜面３１ａ１を操作部カム斜面２１に滑らせることで回転する（図２（ｂ）参照）。
【００３４】
更に、回転子３０は、回転子カム斜面３１ａ１を中駒カム斜面１２ｃに滑らせることで回転した後、隣り合う二つの回転子カム斜面３１ａ１，３１ａ１間に係止されることで、前進位置を維持する（図２（ｃ）参照）。
【００３５】
そして、再度、操作部２０がノック操作により前進すると、その前進に伴って前進する回転子３０は、回転子カム斜面３１ａ１を上記係止状態から外し、該回転子カム斜面３１ａ１を操作部カム斜面２１に滑らすことで回転する（図２（ｄ）参照）。
更に、回転子３０は、回転子カム斜面３１ａ１を操作部カム斜面２１に滑らすことで回転し続けた後、回転子カム斜面３１ａ１をスライド溝１２ｂ内に係合させて後退し、元の後退位置（図２（ａ）の状態）となる。
【００３６】
次に、上記構成のリフィール進退ユニット１が装着される出没式筆記具Ａについて説明する（図３及び４参照）。
出没式筆記具Ａは、前軸６０ａと後軸６０ｂとを螺合接続してなる軸筒６０内に、リフィール８０を軸方向へスライド可能に備えるとともに、軸筒６０の先端にリフィール８０の筆記先端部８１を出没させる先口６０ｃを螺合接続し、軸筒６０の後端開口部には、上記構成のリフィール進退ユニット１を嵌合接続している。
【００３７】
また、前記前軸６０ａの外周面には、当該出没式筆記具Ａの把持感触を良好にするグリップ６０ｄが嵌合されている。
このグリップ６０ｄの外周面には、周方向に複数の凹部６０ｄ１が形成されている。この凹部６０ｄ１は、当該出没式筆記具Ａの意匠性を良好にするとともに、当該出没式筆記具Ａが組み立てられる際におけるグリップ６０ｄの前後方向を確認し易くしている。
【００３８】
軸筒６０における後端側の内周面には、中駒１０の環状突部１１ａを乗り越え嵌合させる環状突部６１や、受け部材５０の環状突部５２を当接させる段部６３等を形成し、また、後端部の周壁には、中駒１０の回り止め突部１１ｃを係合させる切欠部６２を形成している。
【００３９】
而して、上記構成の出没式筆記具Ａによれば、前記軸筒６０に進退機構を組み付ける作業を、予め組み立てられたリフィール進退ユニット１を軸筒６０に嵌合させるという、極めて簡単な作業とすることができる。
尚、リフィール進退ユニット１を軸筒６０に装着する技術的手段は、上記のような嵌合構造に限定されるものではなく、例えば、中駒１０の前側部位１１に雄螺子部を形成するとともに回り止め突部１１ｃを省き、また、軸筒６０の後端側内周面には雌螺子部を形成して、中駒１０と軸筒６０とが螺合接続されるようにしてもよい。
【００４０】
【発明の効果】
本発明は、以上説明したように構成されているので、以下に記載されるような作用効果を奏する。
第一の発明のリフィール進退ユニットによれば、進退機構を単独で作動可能な一体構造に構成しているため、当該リフィール進退ユニットが出没式筆記具の軸筒とは別体の状態にあっても、当該リフィール進退ユニットの作動確認検査を行うことができる。
よって、例えば、仮に前記作動確認検査により作動不良が見つかったとしても、その作動不良の当該リフィール進退ユニットのみを廃棄し、不良でない当該リフィール進退ユニット以外の部品をそのまま使用できるため、部品不良による損失額を大幅に抑制することができる。
しかも、当該リフィール進退ユニットは、組立てに最も時間の掛かる部位であるリフィール進退機構を、出没式筆記具の軸筒とは別体の単独の完成品としているため、当該リフィール進退ユニット以外の部位とは別に先行して組立て保管しておくことで、出没式筆記具における部品の管理を容易にすることができる。
更に、前記出没式筆記具の組立て作業を、軸筒に当該リフィール進退ユニットを装着する簡単な作業とすることができるため、自動組立て機による組立てを容易に行える上、その自動組立て機へ供給する部品数を減らすとともに、その組立ての際の工数も低減することができ、ひいては、前記出没式筆記具の生産性を大幅に向上することができる。
更に、本発明のリフィール進退ユニットは、出没式筆記具における当該リフィール進退ユニット以外の部位とは別体に構成される。したがって、出没式筆記具における軸筒のデザイン変更や、出没式筆記具における軸筒の名入れの変更、その他、出没式筆記具における当該リフィール進退ユニット以外の部位の仕様変更等を、容易にすることができる。
【００４１】
更に、第二の発明によれば、当該リフィール進退ユニットが出没式筆記具の軸筒の後端部に装着されようにしたため、その装着作業が一層容易な上、出没筆記具におけるリフィールの出没を、操作性の良好な軸筒後端部の操作により行うことができる。
【００４２】
更に、第三の発明によれば、他の部品と比較して部品管理や軸筒への組み付け作業が困難な付勢部材を、当該リフィール進退ユニットに一体的に具備しているため、当該リフィール進退ユニットが装着される出没式筆記具における部品管理及び生産性を、より向上することができる。
すなわち、付勢部材は、例えばコイルスプリングである場合、他のコイルスプリングとの絡み合いの発生や、落下した際に弾み易いこと、組立て作業中に外れたり変形したりし易いこと等、部品管理及び組立て作業を困難にする問題を備えているが、本発明によれば、前記出没式筆記具の組立て作業を、付勢部材が一体的に備えられた当該リフィール進退ユニットを軸筒に装着する作業とすることができるため、付勢部材単体による前記問題を軽減することができる。
【００４３】
更に、第四の発明によれば、受け部材と中駒との一方又は双方に軸方向の寸法バラツキを生じたとしても、その寸法バラツキが受け部材のスライドにより吸収されるため、これら受け部材と中駒との組み付けを確実にすることができる。しかも、当該リフィール進退ユニットを出没式筆記具における軸筒に装着する際には、出没式筆記具における軸筒の軸方向の寸法バラツキを、前記スライドにより吸収することで、当該リフィール進退ユニットと前記軸筒との組み付けを確実にすることができる。
【００４４】
更に、第五の発明によれば、中駒内の部品が同一方向側から順番に組み付けられる構成としているため、当該リフィール進退ユニットの組立て作業、及び自動組立て機による当該リフィール進退ユニットの組立てを容易にすることができ、ひいては、当該リフィール進退ユニットを備えた出没式筆記具の生産性を一層向上することができる。
しかも、リフィール装着部にリフィールを装着した際、リフィールの後端部が、後方へ突出するノック体における略全長にわたって内在されるため、リフィールの寸法を比較的長くしてインク量を多く確保したり、当該リフィール進退ユニットが装着される出没式筆記具の全長を短くしたりすることができる。
【図面の簡単な説明】
【図１】本発明に係わるリフィール進退ユニットの一例を示す分解斜視図であり、中駒を半分に切断した状態で示すとともに、受け部材の要部を切欠して示している。
【図２】同リフィール進退ユニットにおいて、回転子を進退させる仕組を、（ａ）〜（ｄ）に順次に示す展開図である。
【図３】同リフィール進退ユニットを装着してなる出没式筆記具の一例を示す側面図である。
【図４】同出没式筆記具の後端側の構造を示す拡大断面図である。
【符号の説明】
１０：中駒
２０：操作部
３０：回転子
３２：筒部
３３：リフィール装着部
４０：付勢部材
５０：受け部材
６０：軸筒
Ａ：出没式筆記具
【図１】
2004209881.tif 000003
【図２】
2004209881.tif 000004
【図３】
2004209881.tif 000005
【図４】
2004209881.tif 000006